(57)【要約】【課題】簡易な構造であると共に、使用済みのエアゾール容器内に残留した噴射剤等のガスを外部に排出可能なエアゾール容器用キャップを提供する。【解決手段】ノズル釦２を押して内容液等を噴射させるエアゾール容器に被冠されるキャップ３であって、このキャップ３の胴部５に、この胴部５を周方向に切り裂くための周方向弱化線６、７を上下に間隔をおいて設けているので、これらの周方向弱化線６、７を形成する帯状部８を内方に押すと、周方向弱化線６、７が破却され、胴部５から切り離された帯状部８を、キャップ３の略中央部付近まで引っ込ませることができる。この状態のキャップ３を、使用済みのエアゾール容器に被冠すると、キャップ３の略中央部に引っ込んだ帯状部８が、エアゾール容器のノズル釦を押し続け、エアゾール容器内に残留した噴射剤等のガスを外部に放出することができる。【選択図】        図３
2004315011.tif 000002
【特許請求の範囲】
【請求項１】
ノズル釦を押して内容液を噴射させるエアゾール容器に被冠するエアゾール容器用キャップであって、
前記キャップの胴部に、該胴部を周方向に切り裂くための周方向弱化線を、上下に間隔をおいて設け、これらの周方向弱化線を破却するとき、前記周方向弱化線により形成される帯状部を前記胴部の内方に押込むことにより、前記帯状部の下縁を、前記ノズル釦を押下げた位置で、前記ノズル釦の上面に当接できる位置へ引っ込ませることができることを特徴とするエアゾール容器用キャップ。
【請求項２】
前記上方に位置する周方向弱化線を、前記胴部と天面部との境付近に設け、前記下方に位置する周方向弱化線は、前記ノズル釦を押下げた位置の前記ノズル釦の上面を含む平面に設けたことを特徴とする請求項１に記載のエアゾール容器用キャップ。
【請求項３】
前記上方に位置する周方向弱化線は、下方に位置する周方向弱化線より、中心寄りに円弧を画くように形成することを特徴とする請求項１又は２に記載のエアゾール容器用キャップ。
【請求項４】
前記天面部に、前記周方向弱化線の終端を結ぶ線に沿って、前記天面部を上方に折り曲げ、又は切断可能とする径方向弱化線を設けることを特徴とする請求項２又は３に記載のエアゾール容器用キャップ。
【発明の詳細な説明】
【０００１】
【発明の属する技術分野】
本発明は、エアゾール容器用キャップ、特に、使用済みのエアゾール容器を廃棄するとき、エアゾール容器内に残留した噴射剤等のガスを外部に放出するのに利用できるエアゾール容器用キャップに関するものである。
【０００２】
【従来の技術】
従来、ノズル釦を押して内容液を噴射させるエアゾール容器は、全ての内容液を使用した後、廃棄するときに、エアゾール容器内に残留した噴射剤等のガスによる爆発を防ぐために、エアゾール容器内から噴射剤等のガスを放出する必要がある。
そのため、使用者は、缶切りや釘等を用いて、エアゾール容器に穴を開ける等して、エアゾール容器内に残留した噴射剤等のガスを放出しているが、作業が非常に面倒であった。
【０００３】
そこで、缶切りや釘等の道具を使用しないで、エアゾール容器内に残留した噴射剤等のガスを外部に放出する従来技術として、特許文献１には、エアゾール容器に被冠されるキャップの天板に、切込みと薄肉部とによって設けられる一対の折り曲げ板を設け、エアゾール容器を廃棄するとき、天板に設けられ対向する一対の折り曲げ板を、それぞれ下に押して折り曲げ、各折り曲げ板の先端に設けてある凹部、凸部とを嵌合して各折り曲げ板が開かないように固定し、このキャップをエアゾール容器に被冠する。これによって、折り曲げ板の下端部がエアゾール容器のノズルを押圧することになり、エアゾール容器内に残留した噴射剤等のガスを外部に放出することができる旨が開示されている。
【０００４】
【特許文献１】
特開２０００−１９１０６２号公報
【０００５】
【発明が解決しようとする課題】
上述したように、エアゾール容器内の内容液を全て使用した後、エアゾール容器を廃棄するときには、エアゾール容器内に残留した噴射剤等のガスを放出する必要があり、そのために、缶きりや釘等を用いて、エアゾール容器にガス抜き穴を開けていたが、作業が面倒であり、その作業が必ずしも十分に行われていない。
【０００６】
また、特許文献１は、エアゾール容器に被冠されるキャップの天板に、内側に垂直方向に折り曲げ可能なノズルを押圧するための構造を設けているが、構造が複雑であるため、製造コストが高くなる虞があり、まだ改善の余地がある。
【０００７】
本発明は、かかる点に鑑みてなされたものであり、簡易な構造であると共に、使用済みのエアゾール容器内に残留した噴射剤等のガスを外部に放出可能にするために、キャップ内に容易にノズル釦を押圧する突出部を形成できるようにしたエアゾール容器用キャップを提供することを目的とする。
【０００８】
【課題を解決するための手段】
本発明は、上記課題を解決するための手段として、請求項１に記載した発明は、ノズル釦を押して内容液を噴射させるエアゾール容器に被冠するエアゾール容器用キャップであって、前記キャップの胴部に、該胴部を周方向に切り裂くための周方向弱化線を、上下に間隔をおいて設け、これらの周方向弱化線を破却するとき、前記周方向弱化線により形成される帯状部を前記胴部の内方に押込むことにより、前記帯状部の下縁を、前記ノズル釦を押下げた位置で、前記ノズル釦の上面に当接できる位置へ引っ込ませることができることを特徴とするものである。
このように構成することにより、胴部の上下に間隔をおいて設けた各周方向弱化線の間の帯状部を内方に押すと、各周方向弱化線が破却し、胴部から切り離された帯状部をキャップの略中央部まで押込むことにより、帯状部の下縁をノズル釦を押下げた位置のノズル釦の上面に当接できる位置へ引っ込ませることが可能となる。
【０００９】
請求項２に記載した発明は、請求項１に記載した発明において、前記上方に位置する周方向弱化線を、前記胴部と天面部との境付近に設け、前記下方に位置する周方向弱化線は、前記ノズル釦を押下げた位置の前記ノズル釦の上面を含む平面に設けたことを特徴とするものである。
このように構成することにより、下方に位置する周方向弱化線を、ノズル釦を押下げた位置のノズル釦の上面を含む平面に設けたので、キャップの略中央部に引っ込ませた帯状部の中央部分の下縁が、押下げ位置のノズル釦の上面に当接しノズル釦を押し続けることができる。
また、上方に位置する周方向弱化線を、胴部と天面部との境付近に設けたので、キャップの略中央部に引っ込ませた帯状部の中央部分が、エアゾール容器のノズル釦を押すときに、帯状部の中央部分の上面が天面部の下面に接触するので、帯状部の中央部分にノズル釦を押すために必要な剛性が得られる。
【００１０】
請求項３に記載した発明は、請求項１又は２に記載した発明において、前記上方に位置する周方向弱化線は、下方に位置する周方向弱化線より、中心寄りに円弧を画くように形成することを特徴とするものである。
このように構成することにより、製造上、これらの周方向弱化線を容易に形成することができる。
【００１１】
請求項４に記載した発明は、請求項２又は３に記載した発明において、前記天面部に、前記周方向弱化線の終端を結ぶ線に沿って、前記天面部を上方に折り曲げ、又は切断可能とする径方向弱化線を設けることを特徴とするものである。
このように構成することにより、胴部の上下に設けた各周方向弱化線を破却させ形成した、帯状部をキャップの略中央部まで押込むとほぼ同時に、天面部を径方向弱化線に沿って上方に折り曲げ、又は切断することができる。
【００１２】
【発明の実施の形態】
以下、本発明の実施の形態に係るエアゾール容器用キャップを図１〜図６に基いて詳細に説明する。
エアゾール容器１は、図１に示すように、その上面の中央部に突出したノズル管２ａの先端に取付けた、噴射孔を有したノズル釦２を有している。ノズル釦２は、ノズルバルブ（図示せず）に連設されていて、閉塞位置である上方に付勢された状態で取付けられている。このノズル釦２を押すと、ノズルバルブが開きエアゾール容器１内の薬液等が噴射するようになっている。使用しないときには、ノズル釦２が押されエアゾール容器１内の薬液等が噴射されないように、エアゾール容器１の上部には、ノズル釦２を被覆するようにキャップ３が被冠される。
【００１３】
キャップ３は、合成樹脂から成形されていて、図１〜図３に示すように、円形の天面部４と、天面部４の外周縁と接続する胴部５とから構成されている。胴部５の内周面には、エアゾール容器１と係合するために、係合突条３ａが一条、周方向に間隔をおいて複数形成されている。一方、エアゾール容器１にはキャップ３と係合する巻締め部１ａが形成されている。
そして、キャップ３をエアゾール容器１に被冠するときには、キャップ３の胴部５の内周面を、エアゾール容器１の巻締め部１ａに押込めば、キャップ３に設けた係合突条３ａが、エアゾール容器１に設けた巻締め部１ａを乗り越えて係合し、キャップ３がエアゾール容器１に係合する状態となる。
【００１４】
キャップ３の胴部５の上方部には、図１〜図４に示すように、上下に間隔をおいて周方向に延びる二本の周方向弱化線６、７が、中心角１５０°〜１８０°の範囲で形成されている。
二本の周方向弱化線６、７のうち上方に位置する周方向弱化線６は、天面部４と胴部５との境付近に形成され、他方、下方に位置する周方向弱化線７は、図１に示すように、キャップ３がエアゾール容器１に嵌合状態で、ノズルバルブの閉塞位置イからノズル釦２が押し下げられてノズルバルブを開放する位置ロに対応して形成される。
【００１５】
二本の周方向弱化線６、７を破却した状態では、両者の間に胴部５から切り離された帯状部８が形成され、この帯状部８は、周方向において胴部５と連続する連続部８ａ、８ａを有する。
また、キャップ３の天面部４には、周方向弱化線６の終端（胴部５と帯状部８との連絡点）を結ぶ線に沿って、径方向弱化線１０が形成されている。この径方向弱化線１０は、例えば、天面部４の下面に略Ｖ字状の溝１１を形成することにより構成される。
【００１６】
キャップ３に形成した周方向弱化線６、７は、周方向弱化線６、７に対応する部位を円弧状に、且つ上方が縮径する段部を形成することにより構成され、その段部の境目に薄肉部が形成される。
そして、これらの周方向弱化線６、７の間の帯状部８に、外方からの圧力を加えることにより、二個所の段部の薄肉部は破却され、胴部５から切り離された帯状部８となる。
【００１７】
また、周方向弱化線６、７の他の実施の形態として、図６に示すように、周方向弱化線６は、天面部４と胴部５との境付近の内周壁に、略Ｖ字状の溝部１２を形成することにより構成され、周方向弱化線７は、胴部５の内周壁に、略Ｖ字状の溝部１３を形成することにより構成される。
【００１８】
そして、図３〜図５に示すように、周方向弱化線６、７により形成された帯状部８を外方からスプーンの柄や指先等で内方に押すと、周方向弱化線６、７が破却し、胴部５から切り離された帯状部８を、キャップ３の略中央部まで押込むことにより、天面部４が径方向弱化線１０に沿って上方に折り曲がると同時に、帯状部８が胴部５との連続部８ａ、８ａから折り曲がるようにして、中央部分８ｂが、先細状になり、キャップ３の略中央部まで、すなわち押下げ位置のノズル釦２の上面に当接する位置へ引っ込む状態となる。
【００１９】
以上説明したように、本発明の実施の形態に係るエアゾール容器用キャップによれば、天面部４と胴部５との境付近に、略半周に亘って天面部４と胴部５とを切断可能とする周方向弱化線６を設け、周方向弱化線６の下方に間隔をおいて平行に、胴部５を略半周に亘って切断可能とする周方向弱化線７を設け、さらに、天面部４には、周方向弱化線６の終端を結ぶ線に沿って、径方向弱化線１０を設けたので、これら周方向弱化線６、７により形成された帯状部８を、指先等で内方に押すと、周方向弱化線６、７が破却し、胴部５から切り離された帯状部８を、キャップ３の略中央部まで押込むことにより、天面部４が径方向弱化線１０に沿って上方に折り曲がると共に、帯状部８が胴部５との連続部８ａ、８ａから折り曲がり、先細状となった中央部分８ｂが、キャップ３の略中央部まで引っ込み、押下げ位置のノズル釦２の上面に当接することができる。
【００２０】
そして、この状態のキャップ３を、使用済みのエアゾール容器１に被冠すると、図４及び図５に示すように、キャップ３の略中央部に引っ込んだ帯状部８の中央部分８ｂの下縁が、ノズル釦２の上面に当接してノズル釦２を押し下げ、ノズル釦２を押し続けるので、エアゾール１容器内に残留した噴射剤等のガスを外部に放出することができる。また、この帯状部８の中央部分８ｂは、ノズル釦２を押すときに、天面部４の半円部４ｂの下面と接触するために、ノズル釦２を押すための十分な剛性が得られる。
【００２１】
以上、上方に位置する周方向弱化線６を、天面部４と胴部５との境付近に形成する形態を説明したが、この上方に位置する周方向弱化線６を、下方に位置する周方向弱化線７の間隔をおいて平行に、胴部５に形成してもよい。
この場合、帯状部８がノズル釦２の上昇力を押える強度を持たせるために、図７に示すように、天面部４の中央に凹部１５を形成しておき、この凹部１５が帯状部８によりノズル釦２を押し込んだときの支えとなるようにすることが望ましい。
また、帯状部８が、キャップ３の略中央部に容易に引っ込むように、帯状部８の中央部分８ｂに、該中央部分が容易に折り曲がる縦方向の弱化線を設けることも考慮できる。
【００２２】
【発明の効果】
以上説明したように、請求項１に記載した発明によれば、エアゾール容器に被冠されるキャップの胴部に、胴部を周方向に切り裂くための周方向弱化線を上下に間隔をおいて設けたので、これらの周方向弱化線により形成された帯状部を、指先等で内方に押すと、周方向弱化線が共に破却され、さらに、胴部から切り離された帯状部を、キャップの略中央部まで押込むことにより、帯状部の下縁を、ノズル釦を押下げた位置で、ノズル釦の上面に当接できる位置へ引っ込ませることが可能となる。
そして、この状態のキャップを、使用済みのエアゾール容器に被冠すると、キャップの略中央部に引っ込ませた帯状部の下縁が、ノズル釦の上面と当接してノズル釦を押し下げ、ノズル釦を押し続けるので、エアゾール容器内に残留した噴射剤等のガスを外部に放出することができる。
【００２３】
請求項２に記載した発明によれば、下方に位置する周方向弱化線を、ノズル釦を押下げた位置のノズル釦の上面を含む平面に設けたので、キャップの略中央部に引っ込ませた帯状部の中央部分の下縁が、押下げ位置のノズル釦の上面に当接して、ノズル釦を押し続けることができる。
また、上方に位置する周方向弱化線を、天面部と胴部との境付近に設けたので、キャップの略中央部に引っ込ませた帯状部の中央部分によりノズル釦を押すときに、帯状部の中央部分が天面部の下面と接触するため、帯状部の中央部分にノズル釦を押すための十分な剛性が得られる。
【００２４】
請求項３に記載した発明によれば、上方に位置する周方向弱化線を、下方に位置する周方向弱化線より、中心寄りに円弧を画くように形成したので、これらの周方向弱化線の製造を容易にし、製造原価の増加を防ぐことができる。
【００２５】
請求項４に記載した発明によれば、天面部に、周方向弱化線の終端を結ぶ線に沿って、天面部を折り曲げ、又は切断可能とする径方向弱化線を設けたので、帯状部をキャップの略中央部まで押込むときに、天面部が径方向弱化線に沿って上方に折り曲がるので、天面部が邪魔することなく、指先等をキャップのほぼ中央部付近までスムーズに挿入することができる。
【図面の簡単な説明】
【図１】図１は、本発明の実施の形態に係るエアゾール容器用キャップをエアゾール容器に装着した断面図である。
【図２】図２は、本発明の実施の形態に係るエアゾール容器用キャップの上面図である。
【図３】図３は、本発明の実施の形態に係るエアゾール容器用キャップの断面図である。
【図４】図４は、本発明の実施の形態に係るエアゾール容器用キャップの帯状部をキャップのほぼ中央部まで引っ込ませた状態を示す底面図である。
【図５】図５は、本発明の実施の形態に係るエアゾール容器用キャップがノズル釦を押す状態を示す断面図である。
【図６】図６は、本発明の他の実施の形態に係るエアゾール容器用キャップの断面図である。
【図７】図７は、本発明のさらに他の実施の形態に係るエアゾール容器用キャップの断面図である。
【符号の説明】
１          エアゾール容器
２          ノズル釦
３          キャップ
４          天面部
５          胴部
６、７      周方向弱化線
８          帯状部
１０        径方向弱化線
【図１】
2004315011.tif 000003
【図２】
2004315011.tif 000004
【図３】
2004315011.tif 000005
【図４】
2004315011.tif 000006
【図５】
2004315011.tif 000007
【図６】
2004315011.tif 000008
【図７】
2004315011.tif 000009